【手続補正書】
【提出日】平成23年7月28日(2011.7.28)
【手続補正１】
【補正対象書類名】特許請求の範囲
【補正対象項目名】全文
【補正方法】変更
【補正の内容】
【特許請求の範囲】
【請求項１】
第１通信プロトコルでデータ通信が行われる第１通信網と、第２通信プロトコルでデータ通信が行われる第２通信網と、に接続されるパケット転送装置であって、
第３通信プロトコルのパケットの変換によって生成された前記第１通信プロトコルのパケットを、前記第１通信網から受信し、
前記受信した第１通信プロトコルのパケットを、前記第１のプロトコルを終端して前記第３通信プロトコルのパケットに変換し、
前記第１のプロトコルを終端して第３通信プロトコルのパケットを変換して生成された第３通信プロトコルのパケットに、前記受信した第１通信プロトコルのパケットの宛先情報に対応する前記第２通信プロトコルのパケットの宛先情報に基づいて生成された第２通信プロトコルのパケットのヘッダを付加することによって、前記変換によって生成された第３通信プロトコルのパケットを前記第２通信プロトコルのパケットに変換し、
前記変換によって生成された第２通信プロトコルのパケットを、前記第２通信網に送信することを特徴とするパケット転送装置。
【請求項２】
請求項１に記載のパケット転送装置であって、
前記第１通信プロトコルのパケットの宛先情報と、当該第１通信プロトコルのパケットを前記第２通信網へ転送するための第２通信プロトコルのパケットの宛先情報を示す識別子との対応を含む第１宛先対応情報を記憶し、
前記第１宛先対応情報に基づいて、前記受信した第１通信プロトコルのパケットの宛先情報に対応する前記第２通信プロトコルのパケットの宛先情報を示す識別子を特定し、
前記変換によって生成された第３通信プロトコルのパケットに、前記特定した識別子を付与し、
前記付与された識別子に基づいて、前記第２通信プロトコルの宛先情報を含む第２通信プロトコルのパケットのヘッダを生成することを特徴とするパケット転送装置。
【請求項３】
請求項１に記載のパケット転送装置であって、
前記受信した第１の通信プロトコルのパケットの宛先情報に基づいて特定される、上位通信プロトコルの種類に基づいて、前記受信した第１の通信プロトコルのパケットを該特定された第３の通信プロトコルのパケットに変換することを特徴とするパケット転送装置。
【請求項４】
請求項３に記載のパケット転送装置であって、
前記第１の通信プロトコルのパケットの宛先情報と前記上位通信プロトコルの種類の対応関係を保持し、
該対応関係に基づいて、前記受信した第１の通信プロトコルのパケットを該特定された第３の通信プロトコルのパケットに変換することを特徴とするパケット転送装置。
【請求項５】
請求項１に記載のパケット転送装置であって、
前記複数の第１の通信プロトコルのパケットから、一つの第３プロトコルのパケットを生成することを特徴とするパケット転送装置。
【請求項６】
請求項３に記載のパケット転送装置であって、
前記上位通信プロトコルは、ＡＡＬ５、ＡＡＬ１、ＡＴＭベアラであり、
上位通信プロトコルがＡＡＬ１である第３の通信プロトコルのパケットを優先して読み出すことを特徴とするパケット転送装置。
【請求項７】
第１通信プロトコルでデータ通信が行われる第１通信網と、第２通信プロトコルでデータ通信が行われる第２通信網と、に接続されるパケット転送装置におけるパケット転送方法であって、
第３通信プロトコルのパケットの変換によって生成された前記第１通信プロトコルのパケットを、前記第１通信網から受信し、
前記受信した第１通信プロトコルのパケットを、前記第１のプロトコルを終端して前記第３通信プロトコルのパケットに変換し、
前記第１のプロトコルを終端して第３通信プロトコルのパケットを変換して生成された第３通信プロトコルのパケットに、前記受信した第１通信プロトコルのパケットの宛先情報に対応する前記第２通信プロトコルのパケットの宛先情報に基づいて生成された第２通信プロトコルのパケットのヘッダを付加することによって、前記変換によって生成された第３通信プロトコルのパケットを前記第２通信プロトコルのパケットに変換し、
前記変換によって生成された第２通信プロトコルのパケットを、前記第２通信網に送信することを特徴とするパケット転送方法。
【請求項８】
請求項７に記載のパケット転送方法であって、
前記第１通信プロトコルのパケットの宛先情報と、当該第１通信プロトコルのパケットを前記第２通信網へ転送するための第２通信プロトコルのパケットの宛先情報を示す識別子との対応を含む第１宛先対応情報を記憶し、
前記第１宛先対応情報に基づいて、前記受信した第１通信プロトコルのパケットの宛先情報に対応する前記第２通信プロトコルのパケットの宛先情報を示す識別子を特定し、
前記変換によって生成された第３通信プロトコルのパケットに、前記特定した識別子を付与し、
前記付与された識別子に基づいて、前記第２通信プロトコルの宛先情報を含む第２通信プロトコルのパケットのヘッダを生成することを特徴とするパケット転送方法。
【請求項９】
請求項７に記載のパケット転送方法であって、
前記受信した第１の通信プロトコルのパケットの宛先情報に基づいて特定される、上位通信プロトコルの種類に基づいて、前記受信した第１の通信プロトコルのパケットを該特定された第３の通信プロトコルのパケットに変換することを特徴とするパケット転送方法。
【請求項１０】
請求項９に記載のパケット転送方法であって、
前記第１の通信プロトコルのパケットの宛先情報と前記上位通信プロトコルの種類の対応関係を保持し、
該対応関係に基づいて、前記受信した第１の通信プロトコルのパケットを該特定された第３の通信プロトコルのパケットに変換することを特徴とするパケット転送方法。
【請求項１１】
請求項７に記載のパケット転送方法であって、
前記複数の第１の通信プロトコルのパケットから、一つの第３プロトコルのパケットを生成することを特徴とするパケット転送方法。
【請求項１２】
請求項９に記載のパケット転送方法であって、
前記上位通信プロトコルは、ＡＡＬ５、ＡＡＬ１、ＡＴＭベアラであり、
上位通信プロトコルがＡＡＬ１である第３の通信プロトコルのパケットを優先して読み出すことを特徴とするパケット転送方法。
【手続補正２】
【補正対象書類名】明細書
【補正対象項目名】０００９
【補正方法】変更
【補正の内容】
【０００９】
本発明の代表的な形態は、第１通信プロトコルでデータ通信が行われる第１通信網と、第２通信プロトコルでデータ通信が行われる第２通信網と、に接続されるパケット転送装置であって、第３通信プロトコルのパケットの変換によって生成された前記第１通信プロトコルのパケットを、前記第１通信網から受信し、前記受信した第１通信プロトコルのパケットを、前記第１のプロトコルを終端して前記第３通信プロトコルのパケットに変換し、前記第１のプロトコルを終端して第３通信プロトコルのパケットを変換して生成された第３通信プロトコルのパケットに、前記受信した第１通信プロトコルのパケットの宛先情報に対応する前記第２通信プロトコルのパケットの宛先情報に基づいて生成された第２通信プロトコルのパケットのヘッダを付加することによって、前記変換によって生成された第３通信プロトコルのパケットを前記第２通信プロトコルのパケットに変換し、前記変換によって生成された第２通信プロトコルのパケットを、前記第２通信網に送信することを特徴とする。